(57)【要約】【課題】  ファクシミリ装置側が公衆電話回線を開放した際に、外付電話機が公衆電話回線を閉結しているもとの誤判定してしまうことを防止する。【解決手段】  ファクシミリ回路が公衆電話回線を開放した時から所定時間が経過するまでは外付電話機が公衆電話回線を閉結しているか否かを判定しないで、ファクシミリ回路が公衆電話回線を開放した時から監視停止時間Ｔｍが経過した場合に外付電話機が公衆電話回線３２を閉結しているか否かを判定する。これにより、回線接続装置の影響を受けることなく、外付電話機３が公衆電話回線３２を閉結しているか否かの判定をすることができるので、ファクシミリ回路側が公衆電話回線を開放した際に、外付電話機が公衆電話回線を閉結しているもとの誤判定してしまうことを防止できる。【選択図】  図３
2006270742.tif 000002
【特許請求の範囲】
【請求項１】
公衆電話回線に接続された電話機と並列に前記公衆電話回線に接続されるファクシミリ装置であって、
前記公衆電話回線を介して画像データを送受信するファクシミリ回路と、
前記公衆電話回線の回線電圧を検出する電圧検出手段と、
前記電圧検出手段が検出した電圧と基準電圧との電圧差に基づいて、前記電話機が前記公衆電話回線を閉結しているか否かを判定する外付電話使用状態監視手段と、
前記外付電話使用状態監視手段により前記電話機が閉結状態であると判定された場合に、前記電話機が使用中である旨の警告を発する警告手段と、
前記ファクシミリ回路が前記公衆電話回線を開放した時から所定時間が経過するまでは前記外付電話使用状態監視手段を作動させないで、前記ファクシミリ回路が前記公衆電話回線を開放した時から所定時間が経過した場合に前記外付電話使用状態監視手段を作動させる監視作動開始手段とを有することを特徴とするファクシミリ装置。
【請求項２】
公衆電話回線に接続された電話機と並列に前記公衆電話回線に接続されるファクシミリ装置であって、
前記公衆電話回線を介して画像データを送受信するファクシミリ回路と、
前記公衆電話回線の回線電圧を検出する電圧検出手段と、
前記電圧検出手段の検出電圧が基準電圧より低い所定電圧以下となった場合に、前記電話機が前記公衆電話回線を閉結していると判定する外付電話使用状態監視手段と、
前記外付電話使用状態監視手段により前記電話機が閉結状態であると判定された場合に、前記電話機が使用中である旨の警告を発する警告手段と、
前記ファクシミリ回路が前記公衆電話回線を開放した時から所定時間が経過するまでは前記外付電話使用状態監視手段を作動させないで、前記ファクシミリ回路が前記公衆電話回線を開放した時から所定時間が経過した場合に前記外付電話使用状態監視手段を作動させる監視作動開始手段とを有することを特徴とするファクシミリ装置。
【請求項３】
公衆電話回線を介して画像データを送受信するファクシミリ回路と、
電話機を前記ファクシミリ回路と並列に前記公衆電話回線に接続するための外付電話機接続端子と、
手動操作され、前記公衆電話回線を前記外付電話機接続端子側に接続する回線切替手段と、
前記公衆電話機回線を介して送信される信号が音声信号であるかファクシミリ信号であるかを判定する信号判定手段と、
前記信号判定手段により、前記公衆電話機回線を介して送信される信号が音声信号であると判定された場合に、前記回線切替手段の操作を促す旨の警告を発する促進手段と、
前記公衆電話回線の回線電圧を検出する電圧検出手段と、
前記電圧検出手段が検出した電圧と基準電圧との電圧差に基づいて、前記電話機が前記公衆電話回線を閉結しているか否かを判定する外付電話使用状態監視手段と、
前記外付電話使用状態監視手段により前記電話機が閉結状態であると判定された場合に、前記電話機が使用中である旨の警告を発する警告手段と、
前記ファクシミリ回路が前記公衆電話回線を開放した時から所定時間が経過するまでは前記外付電話使用状態監視手段を作動させないで、前記ファクシミリ回路が前記公衆電話回線を開放した時から所定時間が経過した場合に前記外付電話使用状態監視手段を作動させる第１の監視作動開始手段と、
前記促進手段の作動後に前記回線切替手段が操作された場合には、前記外付電話使用状態監視手段を直ちに作動させる第２の監視作動手段とを有することを特徴とするファクシミリ装置。
【請求項４】
公衆電話回線を介して画像データを送受信するファクシミリ回路と、
電話機を前記ファクシミリ回路と並列に前記公衆電話回線に接続するための外付電話機接続端子と、
手動操作され、前記公衆電話回線を前記外付電話機接続端子側に接続する回線切替手段と、
前記公衆電話機回線を介して送信される信号が音声信号であるかファクシミリ信号であるかを判定する信号判定手段と、
前記信号判定手段により、前記公衆電話機回線を介して送信される信号が音声信号であると判定された場合に、前記回線切替手段の操作を促す旨の警告を発する促進手段と、
前記公衆電話回線の回線電圧を検出する電圧検出手段と、
前記電圧検出手段の検出電圧が基準電圧より低い所定電圧以下となった場合に、前記電話機が前記公衆電話回線を閉結していると判定する外付電話使用状態監視手段と、
前記外付電話使用状態監視手段により前記電話機が閉結状態であると判定された場合に、前記電話機が使用中である旨の警告を発する警告手段と、
前記ファクシミリ回路が前記公衆電話回線を開放した時から所定時間が経過するまでは前記外付電話使用状態監視手段を作動させないで、前記ファクシミリ回路が前記公衆電話回線を開放した時から所定時間が経過した場合に前記外付電話使用状態監視手段を作動させる第１の監視作動開始手段と、
前記促進手段の作動後に前記回線切替手段が操作された場合には、前記外付電話使用状態監視手段を直ちに作動させる第２の監視作動開始手段とを有することを特徴とするファクシミリ装置。
【請求項５】
前記所定時間を設定変更するための所定時間設定手段を有することを特徴とする請求項１ないし４のいずれか１つに記載のファクシミリ装置。
【請求項６】
前記所定時間は、１．５秒以上であることを特徴とする請求項１ないし５のいずれか１つに記載のファクシミリ装置。
【発明の詳細な説明】
【技術分野】
【０００１】
本発明は、公衆電話回線に接続された電話機と並列に公衆電話回線に接続されるファクシミリ回路を有するファクシミリ装置に関するものであり、特に、ファクシミリ機能に加えて、プリンタ機能やスキャナ機能等が負荷された多機能型のファクシミリ装置に適用して有効である。
【背景技術】
【０００２】
ファクシミリ装置は、電話機と同様に、公衆電話回線を介して画像データ信号を送受信するものである。このため、一般的に、電話機とファクシミリ装置とは、互いに公衆電話回線に対して並列に接続される（例えば、特許文献１参照）。
【０００３】
しかし、電話機とファクシミリ装置とを同時に公衆電話回線に接続することはできないため、特許文献１に記載されているように、ファクシミリ装置側にて公衆電話回線の回線電圧を監視（検出）するとともに、ファクシミリ装置自体が信号を送受信していない場合、つまりファクシミリ装置が公衆電話回線を開放している場合において回線電圧が所定電圧以下となったときに、ファクシミリ装置と並列に公衆電話回線に接続された電話機（以下、外付電話機と言う。）が公衆電話回線を閉結している状態（オンフック状態）であると判定し、逆に、ファクシミリ装置が公衆電話回線を開放している場合において回線電圧が所定電圧より高くなったときに、外付電話機が公衆電話回線を開放している状態（オフフック状態）であると判定している。
【特許文献１】特開２００４−２０７８０９号公報
【発明の開示】
【発明が解決しようとする課題】
【０００４】
ところで、公衆電話回線とファクシミリ装置及び外付電話機との間に、内線交換機（Ｐｒｉｖａｔｅ  Ｂｒａｎｃｈ  Ｅｘｃｈａｎｇｅ）やターミナルアダプタ等の回線接続装置が配置されると、以下に述べる理由により外付電話機が公衆電話回線を開放しているか閉結しているかを正確に判定することができない場合がある。
【０００５】
すなわち、公衆電話回線とファクシミリ装置及び外付電話機との間に回線接続装置が設けられていない場合には、図５に示すように、ファクシミリ装置又は外付電話機が送受信可能な状態となると、公衆電話回線が閉結されて回線電圧が待機電圧Ｖｒから所定の電圧まで低下する。そして、公衆電話回線が開放されると、回線電圧が待機電圧Ｖｒまで復帰（上昇）する。
【０００６】
したがって、通常は、前述したように、回線電圧が所定電圧Ｖｔ以下となったときに、外付電話機が公衆電話回線を閉結している状態（オンフック状態）であると判定し、逆に、ファクシミリ装置が公衆電話回線を開放している場合において回線電圧が所定電圧Ｖｔより高くなったときに、外付電話機が公衆電話回線を開放している状態（オフフック状態）であると判定している。
【０００７】
しかし、公衆電話回線とファクシミリ装置及び外付電話機との間に回線接続装置が設けられている場合には、図６に示すように、ファクシミリ装置が公衆電話回線を開放しても、回線電圧は直ぐに待機電圧Ｖｒに復帰することなく、所定電圧Ｖｔより低い中間電圧を所定時間維持した後、待機電圧Ｖｒに復帰する場合がある。
【０００８】
このため、ファクシミリ装置が公衆電話回線を開放しても、回線電圧が所定電圧Ｖｔにより低い中間電圧に保持されるため、実際には、外付電話機は公衆電話回線を開放しているのにも拘わらず、ファクシミリ装置は、外付電話機が公衆電話回線を閉結しているもとの誤判定してしまう。
【０００９】
延いては、ファクシミリ装置は、実際には、外付電話機は公衆電話回線を開放しているのにも拘わらず、外付電話機が使用中である旨の警告を誤って表示してしまうので、ユーザは、ファクシミリ装置に故障が発生したものと誤認してしまう。
【００１０】
本発明は、上記点に鑑み、ファクシミリ装置側が公衆電話回線を開放した際に、外付電話機が公衆電話回線を閉結しているもとの誤判定してしまうことを防止することを目的とする。
【課題を解決するための手段】
【００１１】
本発明は、上記目的を達成するために、請求項１に記載の発明では、公衆電話回線に接続された電話機と並列に公衆電話回線に接続されるファクシミリ装置であって、公衆電話回線を介して画像データを送受信するファクシミリ回路と、公衆電話回線の回線電圧を検出する電圧検出手段と、電圧検出手段が検出した電圧と基準電圧との電圧差に基づいて、電話機が公衆電話回線を閉結しているか否かを判定する外付電話使用状態監視手段と、外付電話使用状態監視手段により電話機が閉結状態であると判定された場合に、電話機が使用中である旨の警告を発する警告手段と、ファクシミリ回路が公衆電話回線を開放した時から所定時間が経過するまでは外付電話使用状態監視手段を作動させないで、ファクシミリ回路が公衆電話回線を開放した時から所定時間が経過した場合に外付電話使用状態監視手段を作動させる監視作動開始手段とを有することを特徴とする。
【００１２】
前述のごとく、誤判定の原因は、ファクシミリ装置が公衆電話回線を開放しても、回線電圧が所定電圧Ｖｔにより低い中間電圧に所定時間保持されるためである。
これに対して、請求項１に記載の発明では、監視作動開始手段を有しているので、ファクシミリ回路が公衆電話回線を開放した時から所定時間が経過するまでは外付電話使用状態監視手段を作動させないで、ファクシミリ回路が公衆電話回線を開放した時から所定時間が経過した場合に外付電話使用状態監視手段を作動させることができる。
【００１３】
したがって、回線接続装置の影響を受けることなく、外付電話使用状態監視手段を作動させることができるので、ファクシミリ装置側が公衆電話回線を開放した際に、外付電話機が公衆電話回線を閉結しているもとの誤判定してしまうことを防止できる。
【００１４】
なお、図５及び図６に示されるように、通常は、公衆電話回線が閉結されると回線電圧が低下し、逆に、公衆電話回線が開放されると回線電圧が上昇することを利用して公衆電話回線が開放されたか閉結されたかを監視している。これは、換言すれば、基準電圧である待機電圧Ｖｒと検出した回線電圧との電圧差に基づいて公衆電話回線が開放されたか閉結されたかを監視していることである。
【００１５】
したがって、本発明では、基準電圧からの電圧低下に基づいて公衆電話回線が開放されたか閉結されたかを監視する場合は勿論のこと、基準電圧からの電圧上昇に基づいて公衆電話回線が開放されたか閉結されたかを監視する場合も含まれるものである。
【００１６】
請求項２に記載の発明では、公衆電話回線に接続された電話機と並列に公衆電話回線に接続されるファクシミリ装置であって、公衆電話回線を介して画像データを送受信するファクシミリ回路と、公衆電話回線の回線電圧を検出する電圧検出手段と、電圧検出手段の検出電圧が基準電圧より低い所定電圧以下となった場合に、電話機が公衆電話回線を閉結していると判定する外付電話使用状態監視手段と、外付電話使用状態監視手段により電話機が閉結状態であると判定された場合に、電話機が使用中である旨の警告を発する警告手段と、ファクシミリ回路が公衆電話回線を開放した時から所定時間が経過するまでは外付電話使用状態監視手段を作動させないで、ファクシミリ回路が公衆電話回線を開放した時から所定時間が経過した場合に外付電話使用状態監視手段を作動させる監視作動開始手段とを有することを特徴とする。
【００１７】
これにより、本発明においても請求項１に記載の発明と同様に、回線接続装置の影響を受けることなく、外付電話使用状態監視手段を作動させることができるので、ファクシミリ装置側が公衆電話回線を開放した際に、外付電話機が公衆電話回線を閉結しているもとの誤判定してしまうことを防止できる。
【００１８】
請求項３に記載の発明では、公衆電話回線を介して画像データを送受信するファクシミリ回路と、電話機をファクシミリ回路と並列に公衆電話回線に接続するための外付電話機接続端子と、手動操作され、公衆電話回線を外付電話機接続端子側に接続する回線切替手段と、公衆電話機回線を介して送信される信号が音声信号であるかファクシミリ信号であるかを判定する信号判定手段と、信号判定手段により、公衆電話機回線を介して送信される信号が音声信号であると判定された場合に、回線切替手段の操作を促す旨の警告を発する促進手段と、公衆電話回線の回線電圧を検出する電圧検出手段と、電圧検出手段が検出した電圧と基準電圧との電圧差に基づいて、電話機が公衆電話回線を閉結しているか否かを判定する外付電話使用状態監視手段と、外付電話使用状態監視手段により電話機が閉結状態であると判定された場合に、電話機が使用中である旨の警告を発する警告手段と、ファクシミリ回路が公衆電話回線を開放した時から所定時間が経過するまでは外付電話使用状態監視手段を作動させないで、ファクシミリ回路が公衆電話回線を開放した時から所定時間が経過した場合に外付電話使用状態監視手段を作動させる第１の監視作動開始手段と、促進手段の作動後に回線切替手段が操作された場合には、外付電話使用状態監視手段を直ちに作動させる第２の監視作動開始手段とを有することを特徴とする。
【００１９】
これにより、本発明においても請求項１に記載の発明と同様に、ファクシミリ回路が公衆電話回線を開放した時から所定時間が経過するまでは外付電話使用状態監視手段を作動させないで、ファクシミリ回路が公衆電話回線を開放した時から所定時間が経過した場合に外付電話使用状態監視手段を作動させることができる。
【００２０】
したがって、回線接続装置の影響を受けることなく、外付電話使用状態監視手段を作動させることができるので、ファクシミリ装置側が公衆電話回線を開放した際に、外付電話機が公衆電話回線を閉結しているもとの誤判定してしまうことを防止できる。
【００２１】
ところで、ファクシミリ装置に外付電話機を接続するための外付電話機接続端子が設けられている場合には、公衆電話回線を介して送信される信号を一旦、ファクシミリ装置にて受けるとともに、信号が音声信号であるかファクシミリ信号であるかを判定して、公衆電話機回線を介して送信される信号が音声信号であると判定された場合に、回線切替手段の操作を促す旨の警告を発する。
【００２２】
そして、回線切替手段が手動にて操作された場合には、明らかに外付電話機が公衆電話回線を閉結していることとなる。一方、この場合に第１の監視作動開始手段を作動させると、所定時間が経過するまでは外付電話使用状態監視手段が作動しないので、明らかに外付電話機が公衆電話回線を閉結しているのに拘わらず、外付電話機が使用中である旨の警告を発することができない。このため、ユーザは、警告手段が故障したものと誤認してしまうおそれがある。
【００２３】
これに対して、本発明では、促進手段の作動後に回線切替手段が操作された場合には、直ちに外付電話使用状態監視手段を作動させるので、明らかに外付電話機が公衆電話回線を閉結しているのに拘わらず、外付電話機が使用中である旨の警告を発することができないといった不具合を未然に防止できる。延いては、ユーザが、警告手段が故障したものと誤認してしまうことを未然に防止できる。
【００２４】
なお、本発明も請求項１に記載の発明と同様に、本発明では、基準電圧からの電圧低下に基づいて公衆電話回線が開放されたか閉結されたかを監視する場合は勿論のこと、基準電圧からの電圧上昇に基づいて公衆電話回線が開放されたか閉結されたかを監視する場合も含まれるものである。
【００２５】
請求項４に記載の発明では、公衆電話回線を介して画像データを送受信するファクシミリ回路と、電話機をファクシミリ回路と並列に公衆電話回線に接続するための外付電話機接続端子と、手動操作され、公衆電話回線を外付電話機接続端子側に接続する回線切替手段と、公衆電話機回線を介して送信される信号が音声信号であるかファクシミリ信号であるかを判定する信号判定手段と、信号判定手段により、公衆電話機回線を介して送信される信号が音声信号であると判定された場合に、回線切替手段の操作を促す旨の警告を発する促進手段と、公衆電話回線の回線電圧を検出する電圧検出手段と、電圧検出手段の検出電圧が基準電圧より低い所定電圧以下となった場合に、電話機が公衆電話回線を閉結していると判定する外付電話使用状態監視手段と、外付電話使用状態監視手段により電話機が閉結状態であると判定された場合に、電話機が使用中である旨の警告を発する警告手段と、ファクシミリ回路が公衆電話回線を開放した時から所定時間が経過するまでは外付電話使用状態監視手段を作動させないで、ファクシミリ回路が公衆電話回線を開放した時から所定時間が経過した場合に外付電話使用状態監視手段を作動させる監視作動開始手段と、促進手段の作動後に回線切替手段が操作された場合には、外付電話使用状態監視手段を作動させない監視作動停止手段とを有することを特徴とする。
【００２６】
これにより、本発明においても請求項３に記載の発明と同様に、回線接続装置の影響を受けることなく、外付電話使用状態監視手段を作動させることができるので、ファクシミリ装置側が公衆電話回線を開放した際に、外付電話機が公衆電話回線を閉結しているもとの誤判定してしまうことを防止できる。
【００２７】
また、請求項３に記載の発明と同様に、促進手段の作動後に回線切替手段が操作された場合には、外付電話使用状態監視手段を作動させないので、明らかに外付電話機が公衆電話回線を閉結しているのに拘わらず、外付電話機が使用中である旨の警告を発することができないといった不具合を未然に防止できる。
【００２８】
請求項５に記載の発明では、所定時間を設定変更するための所定時間設定手段を有することを特徴とする。
これにより、本発明では、前記中間電圧が回線接続装置の種類によって大きく相違した場合であっても、外付電話使用状態監視手段を作動させない時間を回線接続装置に合わせて変更することができるので、外付電話機が公衆電話回線を閉結しているもとの誤判定してしまうことを確実に防止できる。
【００２９】
なお、所定時間は、請求項６に記載の発明のごとく、１．５秒以上とすることが望ましい。
【発明を実施するための最良の形態】
【００３０】
以下に本発明の実施形態を図面と共に説明する。
（第１実施形態）
図１は、本発明の実施形態に係るファクシミリ装置１の電気的構成を示したブロック図であり、図２は回線Ｉ／Ｆ部１９のブロック図である。
【００３１】
ファクシミリ装置１には、図１に示すように、ＣＰＵ１１、ＲＯＭ１２、ＥＥＰＲＯＭ１３、ＲＡＭ１４、画像メモリ１５、回線Ｉ／Ｆ部１９、モデム２０、バッファ２１、スキャナ２２、符号化部２３、及び復号化部２４等から構成されるファクシミリ回路、並びにプリンタ２５、操作パネル４、ＬＣＤ（液晶表示パネル）５及びアンプ２７が設けられており、これらがバスライン３０を介して互いに接続されている。
【００３２】
なお、ＬＣＤ５は、ＣＰＵ１１から指令信号に基づいて、様々な情報を文字又は画像を通じてユーザに向けて発するものであり、その情報としては、例えば、ファクシミリ回路に対して並列に公衆電話回線３２に接続された外付電話機３が使用中である旨、又はＦＡＸデータを送受信中である旨等が挙げられる。したがって、本実施形態では、ＬＣＤ５が、特許請求の範囲に記載された警告手段に相当する。
【００３３】
回線Ｉ／Ｆ部１９は、回線制御を行うためのものであり、図２に示すように、半導体化ＤＡＡ３３を有して構成されており、この回線Ｉ／Ｆ部１９は、交換機２９から送られる呼出信号（リング信号）や相手側装置の電話番号（発信者番号）を示す信号等の各種信号を受信するとともに、操作パネル４上のキーの操作に応じた発信時のダイヤル信号を交換機２９へ送信する。
【００３４】
また、回線Ｉ／Ｆ部１９には、外付電話機３をファクシミリ回路に対して並列に公衆電話回線３２に接続するための外付電話端子Ｔ１、Ｔ２が設けられており、ファクシミリ装置１（ファクシミリ回路）及び外付電話機３は、この回線Ｉ／Ｆ部１９を介して電話回線３１に接続される。
【００３５】
なお、ＣＰＵ１１は、回線Ｉ／Ｆ部１９を介して送受信される各種信号に従って、バスライン３０により接続された各部を制御し、ファクシミリ動作、すなわち、画像データ等の送受信（データ通信）を実行するものである。ＲＯＭ１２は、このファクシミリ装置１で実行される制御プログラム等を格納した書換不能記憶装置であり、このＲＯＭ１２には、図３に示されるフローチャートを実行するプログラムが格納されている。
【００３６】
ＲＡＭ１４は、ファクシミリ装置１の各動作の実行時に各種のデータを一時的に記憶するための随時読込書換可能記憶装置であり、このＲＡＭ１４は、回線電圧値メモリ１４ａ及び判定値メモリ１４ｂ等から構成されている。
【００３７】
回線電圧値メモリ１４ａは、電話回線３１の開放時、すなわち半導体化ＤＡＡ３３において、回線網を制御するための直流回路が開放された状態である時に半導体化ＤＡＡ３３に供給される電圧値を記憶するメモリであり、この回線電圧値メモリ１４ａは、電話回線３１の開放時において、電圧検出回路３４（図２参照）により検出された電圧値を、その検出順に記憶する。因みに、電圧検出回路３４は、公衆電話回線の回線電圧を検出する電圧検出手段を構成するものである。
【００３８】
なお、本実施形態に係る回線電圧メモリは、複数個（例えば、１０個）の電圧値を記憶することができ、この回線電圧値メモリ１４ａに記憶された複数個の電圧値は、その記憶された複数個の電圧値の平均値が算出された後、回線電圧値メモリ１４ａから消去される。そして、その算出された電圧値の平均値が定常時の待機電圧値Ｖｒとして、後述する定常電圧値メモリ１３ａに記憶される。
【００３９】
また、判定値メモリ１４ｂは、外付電話機３がフックアップ状態であるか又はフックダウン状態であるかを判定するための判断基準値となる判定電圧Ｖｔを記憶するメモリである。この判定電圧Ｖｔは、図５又は図６に示すように、電話回線３１が開放状態である場合における回線電圧の基準電圧よりも小さく、かつ、基準電圧との電圧差が所定の電圧差ΔＶ以上となる電圧値である。因みに、本実施形態では、基準電圧として、前記の待機電圧値Ｖｒを採用している。
【００４０】
なお、付電話機３がフックアップ状態であるか又はフックダウン状態であるかを判定方法の詳細は、後述する。
また、図１中、ＥＥＰＲＯＭ１３は、定常電圧値メモリ１３ａ及び閾値メモリ１３ｂを有するとともに、ファクシミリ装置１の電源オフ後も書き込まれた（記憶された）データが保持される、書換可能な不揮発性記憶装置である。
【００４１】
定常電圧値メモリ１３ａは、上記回線電圧値メモリ１４ａに記憶された１０個分の電圧値の平均値である待機電圧値Ｖｒを記憶するためのメモリであり、この定常電圧値メモリ１３ａは、回線電圧値メモリ１４ａに１０個の電圧値が記憶されると、その１０個の電圧値から算出される平均値により更新されるので、電話回線３１が開放状態である間は定期的に更新される。
【００４２】
閾値メモリ１３ｂは、外付電話機３のフックアップを判定するため判定電圧Ｖｔを算出するための係数Ｃｔ（例えば、０．５）及び後述する回線開放時電圧Ｖｍを記憶する記憶装置である。つまり、本実施形態において判定電圧Ｖｔは、定常電圧値メモリ１３ａに記憶された待機電圧値Ｖｒに、閾値メモリ１３ｂに記憶された係数Ｃｔを乗算した値として算出された後、判定値メモリ１４ｂに記憶される。因みに、本実施形態では、閾値メモリ１３ｂに記憶される係数Ｃｔは、ユーザやサービスマンが操作パネル４を操作することにより、変更することができる。
【００４３】
画像メモリ１５は、通信履歴、画像データ及び印刷のためのビットイメージを記憶するための記憶装置であり、安価な大容量メモリであるダイナミックＲＡＭ（ＤＲＡＭ）により構成されている。そして、受信された画像データは、一旦画像メモリ１５に記憶され、プリンタ２５によって記録紙に印刷された後に、この画像メモリ１５から消去される。また、スキャナ２２によって読み取られた画像データも、この画像メモリ１５に記憶される。
【００４４】
モデム２０は、画情報及び通信データを変調及び復調して伝送するとともに、伝送制御用の各種手順信号を送受信するためのものである。バッファ２１は、相手側装置との間で送受信される符号化された画情報を含むデータを一時的に記憶するためのものである。
【００４５】
スキャナ２２は、原稿挿入口に挿入された原稿を画像データとして読み取るためのものであり、原稿搬送用モータを備えている。符号化部２３は、スキャナ２２により読み取られた画像データの符号化を行うものである。復号化部２４は、バッファ２１または画像メモリ１５に記憶された画像データを読み出して、これを復号化するものであり、復号化されたデータは、プリンタ２５により記録紙に印刷される。アンプ２７は、そのアンプ２７に接続されたスピーカ２８を鳴動して、呼出音や音声を出力するためのものである。
【００４６】
因みに、本実施形態に係るプリンタ２５は、記録紙を搬送する記録紙用搬送モータ、印字ヘッドを搭載したキャリッジを移動させるキャリッジモータ、及び記録紙へインクを吐出する印字ヘッド等を備えた、周知のインクジェット方式のプリンタで構成されている。
【００４７】
このように構成されたファクシミリ装置１は、回線Ｉ／Ｆ１９を介して、電話回線３１に接続されている。この電話回線３１は、本ファクシミリ装置１の交換機２９に接続され、この交換機２９は公衆電話回線３２に接続される。
【００４８】
半導体化ＤＡＡ３３は、図２に示すように、主に回線終端、ハイブリット、リング信号の検出等の機能を持っている。そして、半導体化ＤＡＡ３３とモデム２０との間には、半導体化ＤＡＡ３３とモデム２０とを直流的に絶縁し、かつ、データ及び信号等を伝達する絶縁部である絶縁部３５が介在している。
【００４９】
また、回線Ｉ／Ｆ部１９のうち、半導体化ＤＡＡ３３の以外の構成部品としては、ＴＥＬ（音声通信）とＦＡＸ（画像通信）とを切り換えるためＣｏｎｎｅｃｔ  ＭＯＤＥＭ  ｔｏ  Ｌｉｎｅリレー３６（以下、ＣＭＬリレー３６と記す。）、整流器３７、及び直流ループカット用コンデンサ３８ａ、３８ｂ、３８ｃ、３８ｄ等が設けられている。なお、Ｌ１、Ｌ２は電話回線３１側への端子であり、Ｔ１、Ｔ２は外付電話機３側への端子である。
【００５０】
因みに、ＦＡＸデータのＡ／Ｄ変換、Ｄ／Ａ変換を行うＣＯＤＥＣ４０が半導体化ＤＡＡ３３に設けられているので、絶縁部３５はディジタル伝達になる。このため、本実施形態では、絶縁部３５に高絶縁のコンデンサ３５ａ、３５ｂが用いられる。
【００５１】
ＣＭＬリレー３６は、待機時においては、図２に示すように、外付電話機３側に閉結されており、ＦＡＸ通信が始まると、混線を防止すべく、ＣＰＵ１１は、ＣＭＬリレー制御信号をオフにして外付電話機３を公衆電話回線３２から開放する。
【００５２】
整流器３７は、回線網の直流ループ電流の極性を一方向へ整流するものである。半導体化ＤＡＡ３３の電源は、トランス４６を通してモデム２０側から供給され、整流器３７により整流されて電話回線３１の電圧極性に関係なく一定極性の電圧になる。電圧検出回路３４は整流器３７により整流されて半導体ＤＡＡ３３に供給される電圧を検出するものであり、図２に示すように、整流器３７とハイブリッドネットワーク４４とを結ぶ接続線とＣＯＤＥＣ４０とに接続されている。電圧検出回路３４による検出結果は、半導体化ＤＡＡ３３から、モデム２０を介して、ＣＰＵ１１へ出力される。
【００５３】
ハイブリットネットワーク４４は、回線網の開放及び閉結を行うためのものであり、電話回線３１からのＦＡＸデータを送信又は受信データに分離する２線−４線変換回路、送信データの受信経路への回り込みを抑制するキャンセラー回路、及びフィルタ回路等から構成される。このハイブリッドネットワーク４４には、回線網、ＣＯＤＥＣ４０、シリアルＩ／Ｆ４１及びグランドが接続されている。なお、ＣＯＤＥＣ４０との間には、送信アンプ４２が介在している。
【００５４】
ＣＯＤＥＣ４０は、ＦＡＸ受信データ及び送信データのＡ／Ｄ変換及びＤ／Ａ変換を行うためのものである。このＣＯＤＥＣ４０には、回線網、外付電話機３、ハイブリッドネットワーク４４及びシリアルＩ／Ｆ４１が、送信アンプ４２又はトーンアンプ４３を介して、接続されている。
【００５５】
なお、送信アンプ４２は、送信データのゲイン調整を行うためのものである。また、トーンアンプ４３は差動型の増幅器であり、電話回線３１の端子Ｌ１、Ｌ２に対し、差動入力になっている。
【００５６】
そして、ＣＯＤＥＣ４０に電話回線３１又は外付電話機３からトーン信号が到来すると、トーンアンプ４３→ＣＯＤＥＣ４０→シリアルＩ／Ｆ４１→絶縁部３５→モデム２０の順に流れ、ＣＯＤＥＣ４０から送信されるトーン検出信号がＣＰＵ１１により検出される。
【００５７】
リング検出回路３９は、回線網、外付電話機３及びシリアルＩ／Ｆ４１に接続されている。リング検出回路３９に電話回線３１からリング信号が到来すると、それと同じサイクルで、リング検出信号がリング検出回路３９→シリアルＩ／Ｆ４１→絶縁部３５のコンデンサａを通り、リング検出信号がＬ（ローレベル）からＨ（ハイレベル）へ（又はその逆へ）変化することにより、モデム２０を介して、ＣＰＵ１１により検出される。
【００５８】
トランジスタ４５は、電圧検出回路３４により検出される回線閉結時の回線電圧が予め定められた電圧電流特性となるように、ベース電位を変えることにより、半導体化ＤＡＡ３３の見かけ上の抵抗値を調整するためのものである。
【００５９】
シリアルＩ／Ｆ４１は、リング検出回路３９からのリング検出信号等の各信号、及びＣＯＤＥＣ４０からのＦＡＸ受信データを、絶縁部３５のコンデンサ３５ｂに対しシリアルデータに一本化しながら、電話回線３１の閉結、開放を半導体化ＤＡＡ３３に行わせるための制御信号及びＣＯＤＥＣ４０へのＦＡＸ送信データに対し、絶縁部３５のコンデンサ３５ａからのシリアル信号をそれぞれに分離するものである。
【００６０】
設定パネル４７は、後述する監視停止時間Ｔｍの値を変更するための所定時間設定手段であり、この設定パネル４７は、ファクシミリ装置１の裏面側等の一般ユーザが、通常時には触れない部位に設けられている。なお、監視停止時間Ｔｍは、ＥＥＰＲＯＭ１３に格納されており、本実実施形態では。監視停止時間Ｔｍの初期値のして２ｓｅｃが記憶されている。
【００６１】
また、回線切替促進表示パネル４８は、後述する制御フローに示されるように、公衆電話回線３２を介して送信される信号が音声信号（ＴＥＬ信号）であるかファクシミリ信号であるかが判定され、その送信信号が音声信号であると判定された場合に、回線切替スイッチ４９の操作を促す旨の警告を発する促進手段であり、回線切替スイッチ４９は、ファクシミリ装置１を、通話モード（ＴＥＬモード）で作動させる場合とファクシミリモードで作動させる場合とを切り替える手動の回線切替手段をなすものである。
【００６２】
なお、回線切替促進表示パネル４８及び回線切替スイッチ４９は、操作パネル４近傍等のユーザから認識され易い部位に設けられている。
次に、本実施形態に係るファクシミリ装置１の特徴的制御作動である、外付電話機３がフックアップ状態であるかフックダウン状態であるかを検出するための制御を、図３に示すフローチャートに基づいて説明する。
【００６３】
ファクシミリ装置１の電源が投入されると、図３に示される制御フローが起動され、先ず、内蔵されたタイマー（図示せず。）が起動される（Ｓ１）。次に、Ｓ１にて起動されたタイマーが示す現在の時刻が計測されるとともに、その計測したタイマー時刻がＲＡＭ１４に記憶される（Ｓ３）。
【００６４】
そして、公衆電話回線３２の回線電圧が所定時間（本実施形態では、約１００ｍ秒）毎に検出される（Ｓ５〜Ｓ９）。すなわち、Ｓ１にて起動されたタイマーが示す現在の時刻が計測され（Ｓ５）、その計測されたタイマー時刻とＲＡＭ１４に記憶されているタイマー時刻（Ｓ３にて計測されたタイマー時刻）とを比較することにより、前回、電圧検出回路３４により回線電圧を検出した時から前記所定時間が経過したか否かが判定される（Ｓ７）。
【００６５】
そして、前回、回線電圧を検出した時から所定時間が経過していないものと判定された場合には（Ｓ７：ＮＯ）、Ｓ１に起動されたタイマーが示す現在の時刻が、再び、計測され（Ｓ５）、一方、前回、電圧検出回路３４により回線電圧を検出した時から前記所定時間が経過したものと判定された場合には（Ｓ７：ＹＥＳ）、電圧検出回路３４により公衆電話回線３２の回線電圧が検出されるとともに（Ｓ９）、この時のタイマー時刻がＲＡＭ１４に記憶される（Ｓ１１）。なお、以下、電圧検出回路３４により検出された回線電圧を検出回線電圧Ｖｃと記す。
【００６６】
次に、ファクシミリ回路（半導体化ＤＡＡ３３）が公衆電話回線３２を閉結したか否か、つまりファクシミリ装置１がＦＡＸデータを送受信している最中であるか否かが判定される（Ｓ１３）。
【００６７】
因みに、本実施形態では、ファクシミリ回路が公衆電話回線３２を閉結したか否かの判定は、検出回線電圧Ｖｃと待機電圧値Ｖｒとの電圧差が所定の電圧差ΔＶを超えて、検出回線電圧Ｖｃが判定電圧Ｖｔより小さくなったか否かをもって判定しておらず、ＣＰＵ１１がＦＡＸデータの送受信処理を行うための指令信号を発したか否かによって判定している。
【００６８】
同様に、本実施形態では、ファクシミリ回路が公衆電話回線３２を開放したか否かの判定は、検出回線電圧Ｖｃと待機電圧値Ｖｒとの電圧差が所定の電圧差ΔＶ以下となって、検出回線電圧Ｖｃが判定電圧Ｖｔ以上となったか否かをもって判定しておらず、ＣＰＵ１１がＦＡＸデータの送受信処理の停止指令信号を発したか否かによって判定している。
【００６９】
そして、ファクシミリ回路が公衆電話回線３２を開放している、つまりファクシミリ装置１がＦＡＸデータを送受信していないと判定された場合には（Ｓ１３：ＮＯ）、外付電話機３が公衆電話回線３２を閉結しているか否かを判定すべく、検出回線電圧Ｖｃが判定電圧Ｖｔより小さいか否かが判定される（Ｓ１５）。
【００７０】
そして、検出回線電圧Ｖｃが判定電圧Ｖｔ以上であると判定された場合には（Ｓ１５：ＮＯ）、外付電話機３は公衆電話回線３２を開放しているもの判定され、「ソトヅケデンワシヨウチュウ」といった旨の警告がＬＣＤ５に表示されることなく、Ｓ３に戻り、再び、前記所定時間毎に公衆電話回線３２の回線電圧が検出される。
【００７１】
一方、検出回線電圧Ｖｃが判定電圧Ｖｔより小さいと判定された場合には（Ｓ１５：ＹＥＳ）、外付電話機３が公衆電話回線３２を閉結していると考えられるので、「ソトヅケデンワシヨウチュウ」といった旨の警告がＬＣＤ５に表示される（Ｓ１７）。
【００７２】
ところで、検出回線電圧Ｖｃが判定電圧Ｖｔより小さい場合には（Ｓ１５：ＹＥＳ）、外付電話機３が公衆電話回線３２を閉結して公衆電話回線３２を使用中であると考えられ、かつ、外付電話機３とファクシミリ装置１とを同時に使用することができない。
【００７３】
そこで、ＣＰＵ１１は、外付電話機３が使用中であると判定した場合には、「ソトヅケデンワシヨウチュウ」といった旨の警告をＬＣＤ５に表示するとともに（Ｓ１７）、Ｓ１９以降の制御フローを実行して、外付電話機３の使用状態を監視し続ける。
【００７４】
すなわち、Ｓ１７にて「ソトヅケデンワシヨウチュウ」といった旨の警告がＬＣＤ５に表示されると、Ｓ５〜Ｓ１１と同様に、所定時間（本実施形態では、１００ｍｓｅｃ）毎に、公衆電話回線３２の回線電圧が検出される（Ｓ１９〜Ｓ２５）。
【００７５】
次に、Ｓ２３にて検出された検出回線電圧Ｖｃが判定電圧Ｖｔより小さいか否かが判定され（Ｓ２７）、その検出回線電圧Ｖｃが判定電圧Ｖｔより小さいと判定された場合には（Ｓ２７：ＹＥＳ）、前述したように、公衆電話回線３２が外付電話機３により閉結された状態であると考えられるので、「ソトヅケデンワシヨウチュウ」といった旨の警告表示が解除されことなく、Ｓ１９に戻り、再び、所定時間毎に、公衆電話回線３２の回線電圧が検出される（Ｓ１９〜Ｓ２５）。
【００７６】
一方、その検出回線電圧Ｖｃが判定電圧Ｖｔ以上であると判定された場合（Ｓ２７：ＮＯ）、公衆電話回線３２が外付電話機３から開放された状態であると考えられるので、「ソトヅケデンワシヨウチュウ」といった旨の警告表示が解除された後（Ｓ２９）、Ｓ３に戻り、再び、所定時間毎に、公衆電話回線３２の回線電圧が検出される（Ｓ３〜Ｓ１１）。
【００７７】
また、Ｓ１３にて、ファクシミリ回路（半導体化ＤＡＡ３３）が公衆電話回線３２を閉結したと判定された場合には（Ｓ１３：ＹＥＳ）、公衆電話回線３２介して送信される信号が監視されるとともに（Ｓ３１）、送信された信号が音声信号（ＴＥＬモード）であるかファクシミリ信号（ファクシミリモード）であるかが判定される（Ｓ３３）。
【００７８】
そして、送信された信号が音声信号（ＴＥＬモード）であると判定された場合には（Ｓ３３：ＹＥＳ）、ユーザに対して回線切替スイッチ４９を操作を促す旨の警告が回線切替促進表示パネル４８に表示されるとともに（Ｓ３５）、ファクシミリ回路が公衆電話回線３２を開放したか否かが判定される（Ｓ３７）。
【００７９】
このため、ユーザが回線切替スイッチ４９を操作することにより、ファクシミリ回路が公衆電話回線３２を開放して、公衆電話回線３２が外付電話機３側に接続されるまで、回線切替スイッチ４９を操作を促す旨の警告が回線切替促進表示パネル４８に表示され続ける（Ｓ３７：ＮＯ）。
【００８０】
そして、ユーザが回線切替スイッチ４９を操作することにより、ファクシミリ回路が公衆電話回線３２を開放して、公衆電話回線３２が外付電話機３側に接続されと（Ｓ３７：ＹＥＳ）、Ｓ３に戻り、再び、所定時間毎に回線電圧が検出された後（Ｓ３〜Ｓ１１）、ファクシミリ回路が公衆電話回線３２を閉結したか否かが判定されるが（Ｓ１３）、ファクシミリ回路が公衆電話回線３２を開放して、公衆電話回線３２が外付電話機３側に接続されて（Ｓ３７：ＹＥＳ）、Ｓ１３に至った場合には、ファクシミリ回路が公衆電話回線３２を閉結した場合でない（Ｓ１３：ＮＯ）と判定されるので、Ｓ１５にて外付電話機３が公衆電話回線３２を閉結しているか否かが判定される。
【００８１】
つまり、Ｓ３〜Ｓ１１までは１００ｍｓｅｃと非常に短い時間であるので、回線切替スイッチ４９を操作を促す旨の警告が回線切替促進表示パネル４８に表示され（Ｓ３５）、かつ、ユーザが回線切替スイッチ４９を操作することにより、公衆電話回線３２が外付電話機３側に接続されと（Ｓ３７：ＹＥＳ）、直ちに、外付電話機３が公衆電話回線３２を閉結しているか否かが判定されることとなる。
【００８２】
また、Ｓ３３にて、送信された信号が音声信号でない、つまりファクシミリモードであると判定された場合には（Ｓ３３：ＮＯ）、ファクシミリ信号の送受信が実行されるととに（Ｓ３９）、ファクシミリ回路が公衆電話回線３２を開放したか否か、つまりファクシミリ信号の送受信が終了したか否かが判定される（Ｓ４１）。
【００８３】
そして、ファクシミリ信号の送受信が終了したと判定された場合には（Ｓ４１：ＹＥＳ）、Ｓ１にて起動されたタイマーが示す現在の時刻が計測されるとともに、その計測したタイマー時刻がＲＡＭ１４に記憶された後（Ｓ４３）、再び、Ｓ１にて起動されたタイマーが示す現在の時刻が計測され（Ｓ４５）、その計測されたタイマー時刻とＲＡＭ１４に記憶されているタイマー時刻（Ｓ４３にて計測されたタイマー時刻）とを比較することにより、ファクシミリ回路が公衆電話回線３２を開放した時から監視停止時間Ｔｍが経過したか否かが判定される（Ｓ４７）。
【００８４】
ここで、監視停止時間Ｔｍは、公衆電話回線３２とファクシミリ装置１及び外付電話機３との間に回線接続装置が設けられている場合において、図６に示すように、回線接続装置の影響により現れる中間電圧Ｖｍが維持される時間以上の所定時間である。
【００８５】
因みに、通常の回線接続装置における、中間電圧Ｖｍが維持される時間は、１．５ｓｅｃ以上であるので、本実施形態では、回線接続装置の個体差等を考量して監視停止時間Ｔｍを２ｓｅｃとしている。
【００８６】
そして、ファクシミリ回路が公衆電話回線３２を開放した時から監視停止時間Ｔｍが経過したと判定された場合には（Ｓ４７：ＹＥＳ）、Ｓ３に戻り、再び、所定時間毎に回線電圧が検出される（Ｓ３〜Ｓ１１）。
【００８７】
したがって、ファクシミリモードにおいては、監視停止時間Ｔｍが経過する前には、外付電話機３が公衆電話回線３２を閉結しているか否かが判定されず、監視停止時間Ｔｍが経過した後に外付電話機３が公衆電話回線３２を閉結しているか否かが判定されることとなる。
【００８８】
なお、上述の説明からも明らかなように、Ｓ３１、Ｓ３３が特許請求の範囲に記載された信号判定手段に相当し、Ｓ３〜Ｓ１５が特許請求の範囲に記載された外付電話使用状態監視手段に相当し、Ｓ１３〜Ｓ４７が特許請求の範囲に記載された第１の監視作動開始手段に相当し、Ｓ３３〜Ｓ３７がが特許請求の範囲に記載された第２の監視作動開始手段に相当する。
【００８９】
次に、本実施形態に係るファクシミリ装置１の特徴を説明する。
外付電話機３が公衆電話回線３２を開放しているのにも拘わらず、外付電話機３が公衆電話回線３２を閉結してものと誤判定してしまう原因は、前述のごとく、ファクシミリ回路が公衆電話回線３２を開放しても、回線電圧が判定電圧Ｖｔにより低い中間電圧に保持されるためである。
【００９０】
これに対して、本実施形態では、ファクシミリ回路が公衆電話回線を開放した時から所定時間が経過するまでは外付電話機３が公衆電話回線３２を閉結しているか否かを判定しないで、ファクシミリ回路が公衆電話回線３２を開放した時から監視停止時間Ｔｍが経過した場合に外付電話機３が公衆電話回線３２を閉結しているか否かを判定するので、回線接続装置の影響を受けることなく、外付電話機３が公衆電話回線３２を閉結しているか否かの判定をすることができる。
【００９１】
したがって、ファクシミリ回路側が公衆電話回線３２を開放した際に、外付電話機３が公衆電話回線３２を閉結しているもとの誤判定してしまうことを防止できる。
ところで、本実施形態では、ファクシミリ装置１に外付電話機３を接続するための外付電話端子Ｔ１、Ｔ２が設けられているので、公衆電話回線３２を介して送信される信号を一旦、ファクシミリ装置１にて受けるとともに、信号が音声信号であるかファクシミリ信号であるかを判定して、公衆電話機回線３２を介して送信される信号が音声信号であると判定された場合に、回線切替スイッチ４９の操作を促す旨の警告をユーザに発している。
【００９２】
そして、回線切替スイッチ４９が手動にて操作された場合には、明らかに外付電話機３が公衆電話回線３２を閉結していることとなる。一方、この場合に、監視停止時間Ｔｍが経過するまでは外付電話機３が公衆電話回線３２を閉結しているか否かの判定しないものとすると、明らかに外付電話機３が公衆電話回線３２を閉結しているのに拘わらず、外付電話機３が使用中である旨の警告を発することができないため、ユーザは、ファクシミリ装置１が故障したものと誤認してしまうおそれがある。
【００９３】
これに対して、本実施形態では、ユーザが回線切替スイッチ４９を操作すると、直ちに、外付電話機３が公衆電話回線３２を閉結しているか否かが判定されるので、明らかに外付電話機３が公衆電話回線３２を閉結しているのに拘わらず、外付電話機３が使用中である旨の警告を発することができないといった不具合を未然に防止できる。延いては、ユーザが、ファクシミリ装置１が故障したものと誤認してしまうことを未然に防止できる。
【００９４】
また、本実施形態に係るファクシミリ装置１では、監視停止時間Ｔｍを設定変更するための設定パネル４７を有しているので、前記中間電圧Ｖｍが回線接続装置の種類によって大きく相違した場合であっても、監視停止時間Ｔｍを回線接続装置に合わせて変更することができる。したがって、外付電話機３が公衆電話回線３２を閉結しているもとの誤判定してしまうことを確実に防止できる。
【００９５】
（第２実施形態）
本実施形態は、送信された信号が音声信号（ＴＥＬモード）であるかファクシミリ信号（ファクシミリモード）である信号判定手段機能を廃止したファクシミリ装置１に適用したものである。
【００９６】
以下、本実施形態の詳細を説明する。なお、本実施形態に係るファクシミリ装置１の構成は、第１実施形態に係るファクシミリ装置１と同じであり、その相違点は、外付電話機３がフックアップ状態であるかフックダウン状態であるかを検出するための制御フロー、及び回線開放時電圧調査処理のみであるので、以下、その相違点についてのみ説明する。
【００９７】
図４は、本実施形態に係るファクシミリ装置１における、外付電話機３がフックアップ状態であるかフックダウン状態であるかを検出するための制御フローを示すフローチャートである。
【００９８】
ファクシミリ装置１の電源が投入されると、図４に示される制御フローが起動され、先ず、内蔵されたタイマー（図示せず。）が起動される（Ｓ１０１）。次に、Ｓ１０１にて起動されたタイマーが示す現在の時刻が計測されるとともに、その計測したタイマー時刻がＲＡＭ１４に記憶される（Ｓ１０３）。
【００９９】
そして、公衆電話回線３２の回線電圧が、第１実施形態と同様な手法にて所定時間（本実施形態では、約１００ｍ秒）毎に検出される（Ｓ１０５〜Ｓ１０９）。すなわち、Ｓ１０１にて起動されたタイマーが示す現在の時刻が計測され（Ｓ１０５）、その計測されたタイマー時刻とＲＡＭ１４に記憶されているタイマー時刻（Ｓ１０３にて計測されたタイマー時刻）とを比較することにより、前回、電圧検出回路３４により回線電圧を検出した時から前記所定時間が経過したか否かが判定される（Ｓ１０７）。
【０１００】
そして、前回、回線電圧を検出した時から所定時間が経過していないものと判定された場合には（Ｓ１０７：ＮＯ）、Ｓ１０１に起動されたタイマーが示す現在の時刻が、再び、計測され（Ｓ１０５）、一方、前回、電圧検出回路３４により回線電圧を検出した時から前記所定時間が経過したものと判定された場合には（Ｓ１０７：ＹＥＳ）、公衆電話回線３２の回線電圧が検出されるとともに（Ｓ１０９）、この時のタイマー時刻がＲＡＭ１４に記憶される（Ｓ１１１）。
【０１０１】
次に、ファクシミリ回路（半導体化ＤＡＡ３３）が公衆電話回線３２を閉結したか否かが判定され（Ｓ１１３）、ファクシミリ回路が公衆電話回線３２を開放している、つまりファクシミリ装置１がＦＡＸデータを送受信していないと判定された場合には（Ｓ１１３：ＮＯ）、外付電話機３が公衆電話回線３２を閉結しているか否かを判定すべく、検出回線電圧Ｖｃが判定電圧Ｖｔより小さいか否かが判定される（Ｓ１１５）。
【０１０２】
そして、検出回線電圧Ｖｃが判定電圧Ｖｔ以上であると判定された場合には（Ｓ１１５：ＮＯ）、外付電話機３は公衆電話回線３２を開放しているもの判定され、「ソトヅケデンワシヨウチュウ」といった旨の警告がＬＣＤ５に表示されることなく、Ｓ１０３に戻り、再び、前記所定時間毎に公衆電話回線３２の回線電圧が検出される。
【０１０３】
一方、検出回線電圧Ｖｃが判定電圧Ｖｔより小さいと判定された場合には（Ｓ１１５：ＹＥＳ）、外付電話機３が公衆電話回線３２を閉結していると考えられるので、「ソトヅケデンワシヨウチュウ」といった旨の警告がＬＣＤ５に表示される（Ｓ１１７）。
【０１０４】
そして、Ｓ１１７にて「ソトヅケデンワシヨウチュウ」といった旨の警告がＬＣＤ５に表示されると、Ｓ１０５〜Ｓ１１１と同様に、所定時間（本実施形態では、１００ｍｓｅｃ）毎に、公衆電話回線３２の回線電圧が検出される（Ｓ１１９〜Ｓ１２５）。
【０１０５】
次に、Ｓ１２３にて検出された検出回線電圧Ｖｃが判定電圧Ｖｔより小さいか否かが判定され（Ｓ１２７）、その検出回線電圧Ｖｃが判定電圧Ｖｔより小さいと判定された場合には（Ｓ１２７：ＹＥＳ）、前述したように、公衆電話回線３２が外付電話機３により閉結された状態であると考えられるので、「ソトヅケデンワシヨウチュウ」といった旨の警告表示が解除されことなく、Ｓ１０３に戻り、再び、所定時間毎に、公衆電話回線３２の回線電圧が検出される（Ｓ１０３〜Ｓ１１１）。
【０１０６】
一方、その検出回線電圧Ｖｃが判定電圧Ｖｔ以上であると判定された場合（Ｓ１２７：ＮＯ）、公衆電話回線３２が外付電話機３から開放された状態であると考えられるので、「ソトヅケデンワシヨウチュウ」といった旨の警告表示が解除された後（Ｓ１２９）、Ｓ１０３に戻り、再び、所定時間毎に、公衆電話回線３２の回線電圧が検出される（Ｓ１０３〜Ｓ１１１）。
【０１０７】
また、Ｓ１１３にて、ファクシミリ回路（半導体化ＤＡＡ３３）が公衆電話回線３２を閉結したと判定された場合には（Ｓ１１３：ＹＥＳ）、公衆電話回線３２には、外付電話機３により閉結されているか否かのいずれかである。そこで、本実施形態では、ファクシミリ回路が公衆電話回線３２を閉結したと判定された場合には、その時から監視停止時間Ｔｍが経過した後、外付電話機３が公衆電話回線３２を閉結していいるか否かが判定される。
【０１０８】
具体的には、ファクシミリ回路が公衆電話回線３２を閉結したと判定された場合には（Ｓ１１３：ＹＥＳ）、Ｓ１０１にて起動されたタイマーが示す現在の時刻が計測されるとともに、その計測したタイマー時刻がＲＡＭ１４に記憶された後（Ｓ１３１）、再び、Ｓ１０１にて起動されたタイマーが示す現在の時刻が計測され（Ｓ１３３）、その計測されたタイマー時刻とＲＡＭ１４に記憶されているタイマー時刻（Ｓ１３１にて計測されたタイマー時刻）とを比較することにより、ファクシミリ回路が公衆電話回線３２を開放した時から監視停止時間Ｔｍが経過したか否かが判定される（Ｓ１３５）。なお、監視停止時間Ｔｍは、第１実施形態と同じである。
【０１０９】
そして、ファクシミリ回路が公衆電話回線３２を開放した時から監視停止時間Ｔｍが経過したと判定された場合には（Ｓ１３５：ＹＥＳ）、Ｓ１０３に戻り、再び、所定時間毎に回線電圧が検出される（Ｓ１０３〜Ｓ１１１）。
【０１１０】
なお、上述の説明からも明らかなように、Ｓ１０３〜Ｓ１１５が特許請求の範囲に記載された外付電話使用状態監視手段に相当し、Ｓ１３１〜Ｓ１３５が特許請求の範囲に記載された監視作動開始手段に相当する。
【０１１１】
次に、本実施形態に係るファクシミリ装置１の特徴を説明する。
本実施形態においても、ファクシミリ回路が公衆電話回線を開放した時から所定時間が経過するまでは外付電話機３が公衆電話回線３２を閉結しているか否かを判定しないで、ファクシミリ回路が公衆電話回線３２を開放した時から監視停止時間Ｔｍが経過した場合に外付電話機３が公衆電話回線３２を閉結しているか否かを判定するので、回線接続装置の影響を受けることなく、外付電話機３が公衆電話回線３２を閉結しているか否かの判定をすることができる。
【０１１２】
したがって、ファクシミリ回路側が公衆電話回線３２を開放した際に、外付電話機３が公衆電話回線３２を閉結しているもとの誤判定してしまうことを防止できる。
（その他の実施形態）
上述の実施形態では、ファクシミリ回路が公衆電話回線３２を閉結したか否かの判定は、ＣＰＵ１１がＦＡＸデータの送受信処理を行うための指令信号を発したか否かによって判定したが、本発明はこれに限定されるものではなく、検出回線電圧Ｖｃと待機電圧値Ｖｒとの電圧差が所定の電圧差ΔＶを超えて、検出回線電圧Ｖｃが判定電圧Ｖｔより小さくなったか否かをもって判定してもよい。
【０１１３】
また、上述の実施形態では、外付電話機３を接続するための外付電話端子Ｔ１、Ｔ２を有するファクシミリ装置であったが、本発明はこれに限定されるものではなく、外付電話端子Ｔ１、Ｔ２を有しておらず、外付けの分配機等で公衆電話回線３２を分配するファクシミリ装置にも適用することができる。
【０１１４】
また、上述の実施形態では、ファクシミリ装置１自身が、送信された音声信号を再生するスピーカと通話者が発する音声をピックアップするマイクロフォン等とが一体化された送受話器（ハンドセット）を有し、この送受話器を介して、いわゆる電話をすることができるものであってもよい。
【０１１５】
また、本発明は、特許請求の範囲に記載された発明の趣旨に合致するものであればよく、上述の実施形態に限定されるものではない。
【図面の簡単な説明】
【０１１６】
【図１】本発明の実施形態に係るファクシミリ装置１の電気的構成を示したブロック図である。
【図２】本発明の実施形態に係るファクシミリ装置１の回線Ｉ／Ｆ部１９のブロック図である。
【図３】本発明の第１実施形態に係るファクシミリ装置１における、外付電話機３がフックアップ状態であるかフックダウン状態であるかを検出するための制御を示すフローチャートである。
【図４】本発明の第２実施形態に係るファクシミリ装置１における、外付電話機３がフックアップ状態であるかフックダウン状態であるかを検出するための制御を示すフローチャートである。
【図５】公衆電話回線とファクシミリ装置及び外付電話機との間に回線接続装置が設けられていない場合の電圧変化を示すグラフである。
【図６】公衆電話回線とファクシミリ装置及び外付電話機との間に回線接続装置が設けられている場合の電圧変化を示すグラフである。
【符号の説明】
【０１１７】
１…ファクシミリ装置、３…外付電話機、４…操作パネル、
１３ａ…定常電圧値メモリ、１３ｂ…閾値メモリ、１４ａ…回線電圧値メモリ、
１４ｂ…判定値メモリ、１５…画像メモリ、１９…回線Ｉ／Ｆ部、２０…モデム、
２１…バッファ、２２…スキャナ、２３…復号化部、２４…復号化部、
２５…プリンタ、２７…アンプ、２８…スピーカ、２９…交換機、
３０…バスライン、３１…電話回線、３２…公衆電話回線、３４…電圧検出回路、
３５…絶縁部、３５ａ…コンデンサ、３５ｂ…コンデンサ、３６…ＣＭＬリレー、
３７…整流器、３９…リング検出回路、４２…送信アンプ、４３…トーンアンプ、
４４…ハイブリットネットワーク、４４…ハイブリッドネットワーク、
４５…トランジスタ、４６…トランス。
【図１】
2006270742.tif 000003
【図２】
2006270742.tif 000004
【図３】
2006270742.tif 000005
【図４】
2006270742.tif 000006
【図５】
2006270742.tif 000007
【図６】
2006270742.tif 000008